【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
低レイテンシィ原理で要求されたセンサデータを送信するための装置であって、
データチャネルを介して複数の受信機へ複数のセンサデータをブロードキャストするように構成される送信機と、
１つのシーケンスで周期的に前記複数のセンサデータをブロードキャストするように前記送信機を整えることを行うように構成される制御回路であって、前記シーケンスは複数のサイクルを備え、前記複数のサイクルの各サイクルは前記複数のセンサデータの特定の部分を提供するものであり、前記複数のサイクルの現在のサイクルにおいて前記複数のセンサデータのサブセットを、前記複数のサイクルの前記現在のサイクルの間に前記制御回路によって前記複数の受信機のうちの１つから受信された要求に応答してブロードキャストするように前記送信機を整えることを行うように構成される制御回路と、ここにおいて、前記複数のセンサデータの前記サブセットは、前記現在のサイクルの間に送信される前記複数のセンサデータの前記特定の部分とは異なるセンサデータである、
を備える、装置。
【請求項２】
１サイクルの間に、前記制御回路は少なくとも１つのセンサから前記複数のセンサデータの一部を受信し、前記複数のセンサデータの前記一部をブロードキャストする、または、前記複数のセンサデータの前記一部を保存するように構成される、請求項１に記載の装置。
【請求項３】
前記複数のセンサデータの前記サブセットは前記複数のセンサデータの前記保存された一部を備え、前記制御回路は前記要求に応答して前記複数のセンサデータの前記保存された一部を含む前記複数のセンサデータの前記サブセットをブロードキャストするように構成される、請求項２に記載の装置。
【請求項４】
前記制御回路は前記複数の受信機のうちの第２の１つから第２の要求を受信するように構成される、請求項１に記載の装置。
【請求項５】
前記制御回路は前記要求の優先度を解決するように構成される、請求項４に記載の装置。
【請求項６】
前記制御回路は、先着の扱い順で前記優先度を解決するように、または、最も少ない最近の扱い順で前記優先度を解決するように、構成される、請求項５に記載の装置。
【請求項７】
前記複数のセンサデータの前記サブセットと前記要求との関連を示す情報を保存するように構成されるレジスタをさらに備え、ここにおいて前記制御回路は前記保存された情報に基いて前記複数のセンサデータの前記サブセットを前記要求と関連付けるように構成される、請求項１に記載の装置。
【請求項８】
要求チャネルをさらに備え、ここにおいて前記制御回路は前記要求チャネル上で前記複数の受信機のうちの前記１つからの前記要求を受信するようにさらに構成される、請求項１に記載の装置。
【請求項９】
前記要求チャネルは複数の信号線を備え、前記信号線の各々が前記制御回路と前記複数の受信機のうちの対応する１つとの間に結合されている、請求項８に記載の装置。
【請求項１０】
前記制御回路は前記信号線のうちの対応する前記１つが第１の状態にあることに応答して前記複数の受信機のうちの前記１つからの前記要求を認識すると共に、前記信号線のうちの対応する前記１つが第２の状態にあることに応答して前記要求が解決されたことを認識するように構成される、請求項９に記載の装置。
【請求項１１】
低レイテンシィ原理で要求されたセンサデータを送信するためのブロードキャストインターフェースを動作させるための方法であって、
１つのシーケンスで周期的に複数の受信機へ複数のセンサデータをブロードキャストすることと、前記シーケンスは複数のサイクルを備え、前記複数のサイクルの各サイクルは前記複数のセンサデータの特定の部分を提供するものである、
前記複数のサイクルの現在のサイクルにおいて前記複数のセンサデータのサブセットを、前記複数のサイクルの前記現在のサイクルの間に前記複数の受信機のうちの１つから受信された要求に応答してブロードキャストすることと、ここにおいて、前記複数のセンサデータの前記サブセットは、前記現在のサイクルの間に送信される前記複数のセンサデータの前記特定の部分とは異なるセンサデータである、
を備える、方法。
【請求項１２】
１サイクルの間に、少なくとも１つのセンサから前記複数のセンサデータの一部を受信すること、および、
前記サイクルにおいて、前記少なくとも１つのセンサから受信される前記複数のセンサデータの前記一部をブロードキャストすること、または、
前記少なくとも１つのセンサからの前記複数のセンサデータの前記一部を保存すること
をさらに備える、請求項１１に記載の方法。
【請求項１３】
前記複数のセンサデータの前記サブセットは前記複数のセンサデータの前記保存された一部を備え、前記要求に応答して前記複数のセンサデータの前記保存された一部を含む前記複数のセンサデータの前記サブセットをブロードキャストすることをさらに備える、請求項１２に記載の方法。
【請求項１４】
前記複数の受信機のうちの第２の１つから第２の要求を受信することをさらに備える、請求項１１に記載の方法。
【請求項１５】
前記要求の優先度を解決することをさらに備える、請求項１４に記載の方法。
【手続補正２】
【補正対象書類名】明細書
【補正対象項目名】００４７
【補正方法】変更
【補正の内容】
【００４７】
[0053]  先の説明は、いかなる当業者であっても、本明細書で説明された様々な態様を実施することを可能にするために提供される。これらの態様への様々な修正は、当業者にとって容易に明らかとなり、本明細書に定義された包括的な原理は、他の態様に適用され得る。従って、特許請求の範囲は、本明細書に示される態様に限定されるように意図されたものではなく、特許請求の範囲の文言と矛盾しない最大範囲であると認められるべきであり、ここにおいて、単数の要素への参照は、そのように明確に記載されていない限り、「１つおよび１つのみ」を意味するのではなく、むしろ「１つまたは複数」を意味するように意図されている。そうでないと具体的に記載されない限り、「いくつかの」という用語は、１つ以上を指す。当業者に既知の、または後に周知となる、本開示を全体にわたって説明された様々な態様の要素と構造的および機能的に同等な物はすべて、参照によって本明細書に明確に組み込まれ、特許請求の範囲に包含されるよう意図される。さらに、本明細書で開示されたものが、特許請求の範囲の中に明示的に記載されているか否かに関わらず、公に捧げられることを意図していない。請求項のどの要素も、その要素が「〜のための手段」というフレーズを使用して明示的に記載されていない限り、または、方法の請求項の場合には、その要素が「〜するためのステップ」というフレーズを使用して記載されていない限り、米国特許法第１１２条（ｆ）の規定の下に解釈されるものではない。
以下に本願発明の当初の特許請求の範囲に記載された発明を付記する。
［Ｃ１］  複数の受信機へデータをブロードキャストするように構成される送信機と、
前記送信機を整えて、プロトコルに基いて前記データをブロードキャストすると共に、前記複数の受信機のうちの１つからの要求に応答して前記データのサブセットをブロードキャストするように構成される制御回路と
を備える、装置。
［Ｃ２］  前記プロトコルは前記データをシーケンスでブロードキャストすることを備える、Ｃ１に記載の装置。
［Ｃ３］  前記データは少なくとも１つのセンサからのデータを備える、Ｃ１に記載の装置。
［Ｃ４］  １サイクルの間に、前記制御回路は前記少なくとも１つのセンサから前記データの一部を受信し、前記データの前記一部をブロードキャストするように構成される、Ｃ３に記載の装置。
［Ｃ５］  １サイクルの間に、前記制御回路は前記少なくとも１つのセンサから前記データの一部を受信し、前記データの前記一部を保存するように構成される、Ｃ３に記載の装置。
［Ｃ６］  前記データの前記サブセットは前記データの前記保存された一部を備え、前記制御回路は前記要求に応答して前記データの前記保存された一部を含む前記データの前記サブセットをブロードキャストするように構成される、Ｃ５に記載の装置。
［Ｃ７］  前記制御回路は前記複数の受信機のうちの第２の１つから第２の要求を受信するように構成される、Ｃ１に記載の装置。
［Ｃ８］  前記制御回路は前記要求の優先度を解決するように構成される、Ｃ７に記載の装置。
［Ｃ９］  前記制御回路は、先着の扱い順で前記優先度を解決するように構成される、Ｃ８に記載の装置。
［Ｃ１０］  前記制御回路は、最も少ない最近の扱い順で前記優先度を解決するように構成される、Ｃ９に記載の装置。
［Ｃ１１］  前記データの前記サブセットと前記要求との関連を示す情報を保存するように構成されるレジスタをさらに備え、ここにおいて前記制御回路は前記保存された情報に基いて前記データの前記サブセットを前記要求と関連付けるように構成される、Ｃ１に記載の装置。
［Ｃ１２］  要求チャネルをさらに備え、ここにおいて前記制御回路は前記要求チャネル上で前記複数の受信機のうちの前記１つからの前記要求を受信するようにさらに構成される、Ｃ１に記載の装置。
［Ｃ１３］  前記要求チャネルは複数の信号線を備え、前記信号線の各々が前記制御回路と前記複数の受信機のうちの対応する１つとの間に結合されている、Ｃ１２に記載の装置。
［Ｃ１４］  前記制御回路は前記信号線のうちの対応する前記１つが第１の状態にあることに応答して前記複数の受信機のうちの前記１つからの前記要求を認識すると共に、前記信号線のうちの対応する１つが第２の状態にあることに応答して前記要求が解決されたことを認識するように構成される、Ｃ１３に記載の装置。
［Ｃ１５］  データチャネルをさらに備え、ここにおいて前記送信機は前記データチャネル上で前記データおよび前記データの前記サブセットをブロードキャストするように構成され、ここにおいて前記データチャネルは前記要求チャネルとは異なる、Ｃ１２に記載の装置。
［Ｃ１６］  ブロードキャストインターフェースを動作させるための方法であって、
プロトコルに基いて複数の受信機へデータをブロードキャストすることと、
前記複数の受信機のうちの１つからの要求に応答して前記データのサブセットをブロードキャストすることと
を備える、方法。
［Ｃ１７］  前記プロトコルは前記データをシーケンスでブロードキャストすることを備える、Ｃ１６に記載の方法。
［Ｃ１８］  前記データは少なくとも１つのセンサからのデータを備える、Ｃ１６に記載の方法。
［Ｃ１９］  １サイクルの間に、前記少なくとも１つのセンサから前記データの一部を受信することと、
前記データの前記一部をブロードキャストすることと
をさらに備える、Ｃ１８に記載の方法。
［Ｃ２０］  １サイクルの間に、前記少なくとも１つのセンサから前記データの一部を受信することと、
前記データの前記一部を保存することと
をさらに備える、Ｃ１８に記載の方法。
［Ｃ２１］  前記データの前記サブセットは前記データの前記保存された一部を備え、前記要求に応答して前記データの前記保存された一部を含む前記データの前記サブセットをブロードキャストすることをさらに備える、Ｃ２０に記載の方法。
［Ｃ２２］  前記複数の受信機のうちの第２の１つから第２の要求を受信することをさらに備える、Ｃ１６に記載の方法。
［Ｃ２３］  前記要求の優先度を解決することをさらに備える、Ｃ２２に記載の方法。
［Ｃ２４］  前記データの前記サブセットを前記複数の受信機のうちの前記１つからの前記要求と関連付けることをさらに備える、Ｃ１６に記載の方法。
［Ｃ２５］  前記複数の受信機のうちの前記１つからの前記要求は要求チャネル上で受信される、Ｃ１６に記載の方法。
［Ｃ２６］  前記要求チャネルは複数の信号線を備え、前記信号線の各々が前記複数の受信機のうちの対応する１つに結合されている、Ｃ２５に記載の方法。
［Ｃ２７］  前記信号線のうちの対応する前記１つが第１の状態にあることに応答して前記複数の受信機のうちの前記１つからの前記要求を認識すると共に、前記信号線のうちの対応する１つが第２の状態にあることに応答して前記要求が解決されたことを認識することをさらに備える、Ｃ２６に記載の方法。
［Ｃ２８］  前記データおよび前記データの前記サブセットはデータチャネル上でブロードキャストされ、ここにおいて前記データチャネルは前記要求チャネルとは異なる、Ｃ２５に記載の方法。
［Ｃ２９］  プロトコルに基いて複数の受信機へデータをブロードキャストするための手段と、
前記複数の受信機のうちの１つからの要求に応答して前記データのサブセットをブロードキャストするように前記ブロードキャストするための手段を整えるための手段と
を備える、装置。
［Ｃ３０］  前記プロトコルは前記データをシーケンスでブロードキャストすることを備える、Ｃ１に記載の装置。